(57)【要約】【課題】蓋スイッチを交換することなく蓋スイッチの動作位置を補正すること。【解決手段】洗濯機はスイッチ側レバーと蓋側レバーとスペーサを備えている。スイッチ側レバーは蓋スイッチの可動接片に設けられたものであり、可動接片を操作するためのものである。蓋側レバーは脱水蓋に設けられたものであり、脱水蓋の閉鎖状態で脱水蓋が開放方向へ操作された場合にスイッチ側レバーを介して蓋スイッチの状態を切換える。スペーサはスイッチ側レバーおよび蓋側レバー間に設けられたものであり、蓋スイッチの状態を切換えるための脱水蓋の位置を調整する。【選択図】図２
2015002956.tif 000002
【特許請求の範囲】
【請求項１】
脱水槽と、
前記脱水槽内に設けられ、衣類が投入される投入口を有する脱水バスケットと、
前記脱水槽の投入口を開閉するものであって、使用者が操作することが可能な脱水蓋と、
可動接片および固定接片を有するものであって、両者が電気的に遮断された状態および導通された状態間で切換えられる蓋スイッチと、
前記蓋スイッチの可動接片に設けられ、前記蓋スイッチの可動接片を操作するためのスイッチ側レバーと、
前記脱水蓋に設けられ、前記スイッチ側レバーを介して前記蓋スイッチの可動接片を操作するものであって前記脱水蓋の閉鎖状態から前記脱水蓋が開放方向へ操作された場合に前記蓋スイッチの状態を切換える蓋側レバーと、
前記スイッチ側レバーおよび前記蓋側レバー間に設けられ、前記蓋スイッチの状態を切換えるための前記脱水蓋の位置を調整するスペーサを備えたことを特徴とする脱水機。
【請求項２】
前記スペーサは、前記スイッチ側レバーに取付けられるものであることを特徴とする請求項１に記載の脱水機。
【請求項３】
前記スペーサは、前記蓋側レバーに取付けられるものであることを特徴とする請求項１に記載の脱水機。
【請求項４】
前記脱水蓋が閉鎖状態とされていない場合に前記脱水バスケットに制動力を付与するものであって、前記脱水蓋の閉鎖状態では前記脱水蓋が開放方向へ付勢されるように前記脱水蓋にバネ力を加えるブレーキバネと、
前記脱水蓋に前記ブレーキバネに比べて大きなバネ力を前記ブレーキバネとは反対方向へ加えるものであって、前記脱水蓋を前記ブレーキバネのバネ力に抗して閉鎖状態に静止させる蓋バネを備え、
前記蓋側レバーは、前記ブレーキバネから前記脱水蓋へのバネ力の作用箇所および前記蓋バネから前記脱水蓋へのバネ力の作用箇所間以外の外部に配置されていることを特徴とする請求項１から３のいずれかに記載の脱水機。
【請求項５】
前記スペーサは、前記スイッチ側レバーに着脱可能に取付けられるものであることを特徴とする請求項２または４に記載の脱水機。
【請求項６】
前記スイッチ側レバーには、前記スペーサの取付け状態で手指によって摘むことが可能な摘みしろが設けられていることを特徴とする請求項２または５に記載の脱水機。
【発明の詳細な説明】
【技術分野】
【０００１】
実施例は二槽式の洗濯機に関する。
【背景技術】
【０００２】
脱水機には蓋スイッチを備えたものがある。この蓋スイッチは脱水蓋の閉鎖状態で電気的なオフ状態およびオン状態の一方となるものであり、脱水蓋が閉鎖状態から開放方向へ操作された場合にオフ状態およびオン状態の一方から他方に切換えられる。この蓋スイッチには動作位置が設定されている。この動作位置は蓋スイッチをオフ状態およびオン状態の一方から他方に切換える脱水蓋の一端側をヒンジとした開放若しくは閉鎖角度位置であり、許容範囲内にあるか否かが製造段階で製品毎に確認される。
【先行技術文献】
【特許文献】
【０００３】
【特許文献１】特開平０４−２４１００号公報
【発明の概要】
【発明が解決しようとする課題】
【０００４】
従来では蓋スイッチの動作位置がばらつくことがあり、蓋スイッチの動作位置のばらつきが大きい場合には蓋スイッチを検知特性が異なるものに交換する必要があった。
本発明は上記事情に鑑みてなされたものであり、その目的は蓋スイッチを交換することなく蓋スイッチの動作位置を補正することが可能な脱水機を提供することにある。
【課題を解決するための手段】
【０００５】
実施例の洗濯機は、脱水槽と、前記脱水槽内に設けられ衣類が投入される投入口を有する脱水バスケットと、前記脱水槽の投入口を開閉するものであって使用者が操作することが可能な脱水蓋と、可動接片および固定接片を有するものであって両者が電気的に遮断された状態および導通された状態間で切換えられる蓋スイッチと、前記蓋スイッチの可動接片に設けられ前記蓋スイッチの可動接片を操作するためのスイッチ側レバーと、前記脱水蓋に設けられ前記スイッチ側レバーを介して前記蓋スイッチの可動接片を操作するものであって前記脱水蓋の閉鎖状態から前記脱水蓋が開放方向へ操作された場合に前記蓋スイッチの状態を切換える蓋側レバーと、前記スイッチ側レバーおよび前記蓋側レバー間に設けられ前記蓋スイッチの状態を切換えるための前記脱水蓋の角度位置を調整するスペーサを備えたものである。
【図面の簡単な説明】
【０００６】
【図１】実施例１を示す図（洗濯機の外観を脱水蓋の閉鎖状態で示す図）
【図２】図１のＸ２部を拡大して示す図
【図３】洗濯機の外観を脱水蓋の開放方向への操作状態で示す図
【図４】蓋スイッチおよび検知レバーの外観を示す図
【図５】図３のＸ５部を拡大して示す図
【図６】蓋スイッチをオフ状態で示す図５相当図
【図７】感度調整スペーサの外観を示す図
【図８】蓋スイッチおよび検知レバーの外観を感度調整スペーサの取付け状態で示す図
【図９】洗濯機の内部構成を示す図
【図１０】ブレーキ機構を示す図
【図１１】実施例２を示す図（感度調整スペーサおよび操作レバーを示す断面図）
【発明を実施するための形態】
【実施例１】
【０００７】
図１の外箱１は上面が開口する箱状をなすものであり、前板と後板と底板と左側板と右側板を有する四角筒状をなしている。この外箱１内の後端部には左右方向へ指向する細長な部品室２が形成されている。この部品室２は上面および後面が開口するものであり、部品室２内には給水弁とスイッチと基板等の部品が収納されている。この部品室２にはカバーが被せられており、部品室２の上面および後面はカバーで覆われている。この部品室２内の右側部には、図２に示すように、２つの軸受３が固定されている。これら２つの軸受３のそれぞれは上下方向へ指向するものであり、左右方向に隙間を介して対向配置されている。
【０００８】
図１の脱水蓋４は下面が開口する薄い箱状をなすものであり、前板と後板と天板と左側板と右側板を有している。この脱水蓋４は外箱１の上端面に部品室２の前側に位置して載せられたものであり、脱水蓋４の後板には、図２に示すように、アーム５が形成されている。このアーム５は部品室２内に突出するものであり、部品室２内の２つの軸受３間に上側から挿入されている。このアーム５は２つの軸受３のそれぞれに水平な円柱状の軸６を介して回動可能に装着されたものであり、脱水蓋４は使用者が前側から上方に向け回動操作することが可能にされている。
【０００９】
部品室２内には、図２に示すように、蓋バネ７が収納されている。この蓋バネ７は下アーム８および上アーム９を有するトーションスプリングからなるものであり、下アーム８は部品室２側に引掛けられ、上アーム９は脱水蓋４のアーム５に引掛けられている。この蓋バネ７は脱水蓋４のアーム５を下から上に向けて付勢するものであり、脱水蓋４は蓋バネ７のバネ力で外箱１の上端面に押付けられた閉鎖状態および略直立となる開放状態のそれぞれに向けて付勢されている。
【００１０】
外箱１内には、図９に示すように、これと一体に脱水槽１０ａが固定されている。この脱水槽１０ａは下面が閉鎖され且つ上面が開放された縦長な略四角筒状をなすものであり、脱水蓋４により上面（投入口に相当する）が開閉されるようにその下方に配置されている。この脱水槽１０ａ内には脱水バスケット１０が収納されている。この脱水バスケット１０は下面が閉鎖され且つ上面が開放された縦長な円筒状をなすものであり、周面および底面に複数の貫通孔を有している。この脱水バスケット１０の上方は脱水蓋４の閉鎖状態で衣類が投入不能に閉鎖されるものであり、脱水蓋４が閉鎖状態から上に向けて開操作されることで衣類が投入可能に開放される。この脱水バスケット１０は脱水用モータ１０ｂの垂直な回転軸１０ｃに連結されており、回転軸１０ｃおよび脱水槽１０ａ間にはベローズ１０ｄが介在されている。この脱水用モータ１０ｂは脱水バスケット１０を回転操作するものであり、外箱１内に脱水槽１０ａの外下方に位置して弾性脚１０ｅを介して弾性支持されている。
【００１１】
部品室２内には、図２に示すように、ワイヤガイド１１が設けられている。このワイヤガイド１１は上面および下面のそれぞれが開口する筒状であり、ワイヤガイド１１内にはブレーキワイヤ１２が挿通されている。このブレーキワイヤ１２は上下方向へ指向するものであり、ワイヤガイド１１の内面に沿って上下方向へ移動可能にされている。
【００１２】
ブレーキワイヤ１２の上端部には、図２に示すように、前に向けて曲がる係合部１３が形成され、ブレーキワイヤ１２の下端部には、図１０に示すように、ブレーキバネ１２ａで付勢された後述のブレーキレバー１２ｂがアウターワイヤ１２ｃおよびフレキシブルワイヤ（インナーワイヤ）１２ｇを介して連結されている。ブレーキバネ１２ａはブレーキレバー１２ｂを付勢するために脱水用モータ１０ｂの上面にブレーキ台１２ｆを介して設けられたものであるが同時にブレーキワイヤ１２を上から下に向けて引っ張ることでブレーキワイヤ１２の係合部１３を脱水蓋４のアーム５に上から係合させている。即ち、脱水蓋４の閉鎖状態では係合部１３がアーム５を介して持上げられることでブレーキワイヤ１２がブレーキバネ１２ａのバネ力に抗して引き上げられ、脱水蓋４が閉鎖状態から上に向けて開操作された場合にはアーム５が下降することに応じてブレーキワイヤ１２がブレーキバネ１２ａのバネ力で引き下げられる。このブレーキバネ１２ａがアーム５を上から下へ押すバネ力は蓋バネ７がアーム５を下から上へ押すバネ力に比べて小さく設定されており、蓋バネ７はブレーキバネ１２ａのバネ力に抗して脱水蓋４を閉鎖状態に静止させている。
【００１３】
ブレーキワイヤ１２の下端部には、図１０に示すように、ブレーキレバー１２ｂが連結されている。このブレーキレバー１２ｂはブレーキワイヤ１２が上下方向へ移動することに応じて制動位置および制動解除位置間で操作されるものであり、脱水用モータ１０ｂの上面にブレーキ台１２ｆを介して装着されている。このブレーキレバー１２ｂは脱水蓋４の閉鎖状態ではブレーキワイヤ１２が引き上げられることに応じて制動解除位置に静止するものであり、脱水蓋４が閉鎖状態から上に向けて開操作された場合にはブレーキワイヤ１２が引き下げられることに応じて制動解除位置から制動位置に移動する。
【００１４】
脱水用モータ１０ｂの回転軸１０ｃには、図１０に示すように、ブレーキドラム１２ｄが固定されており、ブレーキドラム１２ｄの側面にはブレーキシュー１２ｅが対向配置されている。このブレーキシュー１２ｅはブレーキレバー１２ｂに固定されたものであり、脱水蓋４の閉鎖状態ではブレーキレバー１２ｂが制動解除位置に静止することに応じてブレーキドラム１２ｄから離間する。このブレーキシュー１２ｅがブレーキドラム１２ｄから離間した脱水蓋４の閉鎖状態では脱水用モータ１０ｂの回転軸１０ｃに制動力が作用せず、脱水バスケット１０の回転が許容される。
【００１５】
ブレーキシュー１２ｅは脱水蓋４が閉鎖状態から上に向けて開操作された場合にブレーキレバー１２ｂが制動解除位置から制動位置に移動することに応じてブレーキドラム１２ｄに接触するものである。このブレーキシュー１２ｅはブレーキバネ１２ａのバネ力でブレーキドラム１２ｄに接触するものであり、ブレーキシュー１２ｅがブレーキドラム１２ｄに接触した脱水蓋４の非閉鎖状態では脱水用モータ１０ｂの回転軸１０ｃに制動力としてブレーキバネ１２ａのバネ力が作用することに応じて脱水バスケット１０の回転が禁止される。即ち、ブレーキワイヤ１２とブレーキバネ１２ａとブレーキレバー１２ｂとアウターワイヤ１２ｃとブレーキドラム１２ｄとブレーキシュー１２ｅとフレキシブルワイヤ１２ｇは脱水バスケット１０を回転許容状態および回転禁止状態間で切換えるブレーキ機構を構成するものである。
【００１６】
外箱１内には、図９に示すように、脱水バスケット１０の左側に位置して外箱１と一体に洗濯槽１ａが収納されている。この洗濯槽１ａは下面が閉鎖され且つ上面が開放された縦長な角筒状をなすものであり、外箱１には洗濯槽１ａの上方に位置して洗濯蓋１ｂが装着されている。この洗濯蓋１ｂは閉鎖状態および開放状態相互間で着脱操作可能にされたものであり、洗濯槽１ａ内に対しては洗濯蓋１ｂの開放状態で洗濯槽１ａの上面を通して衣類が出し入れされる。この洗濯槽１ａは衣類を洗濯するための水を受けるものであり、洗濯槽１ａ内にはパルセータ１ｃが配設されている。このパルセータ１ｃは洗濯用モータ１ｄの回転軸１ｅに駆動ベルト１ｆを介して連結されたものである。この洗濯用モータ１ｄはパルセータ１ｃを回転操作するものであり、外箱１内に洗濯槽１ａの外下方に位置して収納されている。
【００１７】
部品室２内には、図２に示すように、スイッチ台１４が形成されている。このスイッチ台１４は上下方向へ指向する柱状をなすものであり、スイッチ台１４には、図４に示すように、蓋スイッチ１５が固定されている。この蓋スイッチ１５は固定接片１６および可動接片１７を有するものであり、両者が電気的に遮断されたオフ状態および電気的に導通されたオン状態間で切換えられる。これら固定接片１６および可動接片１７は左右方向へ指向する導電性の金属板からなるものであり、上から下に向けて固定接片１６および可動接片１７の順に配置されている。
【００１８】
固定接片１６の右端部には接点１８が固定され、可動接片１７の右端部には接点１９が固定されている。接点１８は円柱状をなす導電性の金属からなるものであり、固定接片１６の主に下面から突出している。接点１９は接点１８に比べて直径寸法が大きな円柱状をなす導電性の金属からなるものであり、可動接片１７の主に上面から突出している。この可動接片１７は外力が作用していない場合に水平な自然状態となるものであり、接点１９は可動接片１７の自然状態で接点１８に下側から隙間を介して対向する。
【００１９】
固定接片１６および可動接片１７のそれぞれの左端部には、図２に示すように、配線２０が接続されており、２本の配線２０はモータ駆動回路に接続されている。このモータ駆動回路は脱水用モータ１０ｂに駆動電源を供給するものであり、蓋スイッチ１５がオン状態およびオフ状態のいずれかに応じて２本の配線２０を介して電気的に通断電する。
【００２０】
可動接片１７の右端部には、図４に示すように、スイッチ側レバーに相当する検知レバー２１が取付けられている。この検知レバー２１は難燃性の合成樹脂からなるものであり、ベース板２２と検知板２３と連結板２４を有している。ベース板２２は可動接片１７の右端部にモールドにより接合されたものであり、検知板２３はベース板２２に下側から隙間を介して対向するものであり、連結板２４はベース板２２および検知板２３間を連結するものである。
【００２１】
脱水蓋４のアーム５には、図２に示すように、操作レバー２５が形成されている。この操作レバー２５はアーム５の右端部に配置されたものであり、蓋バネ７から脱水蓋４へのバネ力の作用箇所（蓋バネ７の上アーム９の脱水蓋４に対する接触箇所）およびブレーキバネ１２ａから脱水蓋４へのバネ力の作用箇所（ブレーキワイヤ１２の係合部１３の脱水蓋４に対する接触箇所）間以外の外部で脱水蓋４の操作力が確実に伝わる軸受３の近傍に配置されている。この操作レバー２５は蓋側レバーに相当する。
【００２２】
脱水蓋４の操作レバー２５は、図２に示すように、脱水蓋４の閉鎖状態で検知レバー２１の検知板２３を下から上に向けて押すものであり、可動接片１７は検知板２３が下から上に向けて押されることで左から右に向けて上昇傾斜する弾性変形状態となり、接点１９は可動接片１７が弾性変形状態となることで接点１８に接触する。この接点１９が接点１８に接触している場合には蓋スイッチ１５がオン状態となり、モータ駆動回路が２本の配線２０を介して脱水用モータ１０ｂに駆動電源を供給するものであり、脱水バスケット１０の回転操作は脱水蓋４の閉鎖状態で許容される。
【００２３】
図３の高さ位置Ｈは脱水蓋４の前端面の閉鎖状態を基準とする垂直方向の位置であり、長さの単位（ｃｍまたはｍｍ）で定義される。この脱水蓋４の操作レバー２５は脱水蓋４の高さ位置Ｈが高くなることに応じて下への移動量が大となるものであり、可動接片１７は操作レバー２５の下への移動量が大きくなることに応じて弾性変形状態から自然状態に近付く。
【００２４】
可動接片１７の接点１９は、図５に示すように、脱水蓋４の高さ位置Ｈが下限値Ｈｍｉｎ以上で上限値Ｈｍａｘ（５０ｍｍ）以下の目標範囲内で固定接片１６の接点１８から離間するものであり、脱水蓋４の操作レバー２５は、図６に示すように、可動接片１７の接点１９が固定接片１６の接点１８から離間した場合に検知レバー２１の検知板２３から離間する。この可動接片１７の接点１９が固定接片１６の接点１８から離間した場合には蓋スイッチ１５がオフ状態となり、モータ駆動回路は蓋スイッチ１５がオフの場合に脱水用モータ１０ｂに駆動電源を供給しないものであり、よって脱水バスケット１０の回転操作は蓋スイッチ１５のオフ状態で禁止される。
【００２５】
図７の感度調整スペーサ２６は合成樹脂を材料とするものであり、感度調整板２７と前側板２８と後側板２９を有している。感度調整板２７は長方形状をなすものであり、感度調整板２７の右端部には上に向けて突出するストッパ３０が形成されている。前側板２８は感度調整板２７の前端面に沿って左右方向へ指向するものであり、前側板２８には前ガイド板３１およびガイド突部３２が形成されている。前ガイド板３１は前側板２８の上端部に配置されたものであり、後に向けて突出している。ガイド突部３２は前ガイド板３１の下側に配置されたものであり、後に向けて突出している。後側板２９は感度調整板２７の後端面に沿って左右方向へ指向するものであり、後側板２９の上端部には前に向けて突出する後ガイド板３３が形成されている。
【００２６】
感度調整スペーサ２６はスペーサに相当するものであり、図８に示すように、検知レバー２１の表面に右側から挿入されることで取付けられる。この感度調整スペーサ２６の検知レバー２１に対する挿入作業は感度調整板２７の上面を検知板２３の下面に接触させると共に前ガイド板３１および後ガイド板３３のそれぞれの下面をベース板２２の上面に接触させながら行われるものであり、ガイド突部３２はベース板２２の下面に接触する。この感度調整スペーサ２６はストッパ３０が検知板２３の右端面に接触することで左右方向の目標位置に位置決めされ、感度調整板２７が検知板２３に接触すると共に前ガイド板３１および後ガイド板３３がベース板２２に接触することで上下方向の目標位置に位置決めされるものであり、感度調整スペーサ２６の左右方向および上下方向への位置決め状態では感度調整板２７が検知板２３に下側から重なることで検知板２３の上下方向の厚さ寸法が厚く調整される。この感度調整スペーサ２６は右側へ引っ張られることで検知レバー２１から取外されるものであり、検知レバー２１に対して取付け可能および取外し可能にされている。
【００２７】
感度調整スペーサ２６の左右方向の長さ寸法Ｌは、図８に示すように、感度調整スペーサ２６が検知レバー２１に取付けられた状態で検知レバー２１の検知板２３の左半部が感度調整スペーサ２６から露出するように設定されており、作業者は検知板２３の左半部を手指で摘んで感度調整スペーサ２６を検知レバー２１に対して着脱することができる。即ち、検知板２３の左半部は作業者が手指で摘むための摘みしろ２１ａとして機能する。
【００２８】
感度調整スペーサ２６には、図７に示すように、前側板２８および後側板２９のそれぞれに位置して抜止め３４が形成されている。これら２つの抜止め３４のそれぞれは感度調整スペーサ２６の内側に向けて突出するものであり、感度調整スペーサ２６の検知レバー２１に対する挿入作業は２つの抜止め３４のそれぞれが検知レバー２１で押されることに応じて前側板２８および後側板２９のそれぞれが下端部を中心に外側へ弾性変形することで許容される。これら２つの抜止め３４のそれぞれは感度調整スペーサ２６のストッパ３０が検知レバー２１の検知板２３に接触することに応じてベース板２２の左端面に係合するものであり、感度調整スペーサ２６は２つの抜止め３４のベース板２２に対する係合力で検知レバー２１から右側へ抜けることが防止される。
【００２９】
蓋スイッチ１５の動作位置は洗濯機の製造段階で製品毎に確認されるものである。この動作位置は蓋スイッチ１５をオン状態からオフ状態に切換える脱水蓋４の位置であり、脱水蓋４の閉鎖状態を基準とする垂直方向（開放方向）への高さ位置Ｈで定義される。この動作位置の目標値Ｈｏは下限値Ｈｍｉｎおよび上限値Ｈｍａｘ間の中間値に設定されており、製造段階で動作位置が目標値Ｈｏ未満であると確認された場合には検知レバー２１に感度調整スペーサ２６が取付けられる。この感度調整スペーサ２６は検知レバー２１に取付けられた状態で脱水蓋４の操作レバー２５に上側から接触するものであり、感度調整スペーサ２６が検知レバー２１に取付けられた状態では検知レバー２１の検知板２３の厚さ寸法が感度調整板２７によって厚く調整されることで動作位置が目標値Ｈｏ以上で上限値Ｈｍａｘ以下に補正される。
【００３０】
上記実施例１によれば次の効果を奏する。
蓋スイッチ１５の動作位置が目標値Ｈｏ未満の場合には蓋スイッチ１５の検知レバー２１に感度調整スペーサ２６を取付けることで蓋スイッチ１５の検知レバー２１および脱水蓋４の操作レバー２５間に感度調整スペーサ２６を介在し、蓋スイッチ１５の動作位置を目標値Ｈｏ以上で上限値Ｈｍａｘ以下の適切な範囲に調整することができる。従って、蓋スイッチ１５を検知特性が違う別のものに交換する必要がなくなる。
【００３１】
蓋バネ７から脱水蓋４のアーム５にブレーキバネ１２ａに比べて大きなバネ力をブレーキバネ１２ａとは反対向きに作用させることで脱水蓋４を閉鎖状態に静止させ、蓋バネ７からアーム５へのバネ力の作用箇所およびブレーキバネ１２ａからアーム５へのバネ力の作用箇所間以外の外部に操作レバー２５を配置しているので、操作レバー２５を製造時の初期位置から下へ変位させることとなる捻れ力が蓋バネ７からアーム５に作用する。しかしながら、蓋スイッチ１５の検知レバー２１および脱水蓋４の操作レバー２５間に感度調整スペーサ２６が介在されているので、操作レバー２５が捻れ力で下へ変位することに応じて蓋スイッチ１５の動作位置が下限値Ｈｍｉｎ以下となることが防止される。
【００３２】
感度調整スペーサ２６を蓋スイッチ１５の検知レバー２１に着脱可能に取付けたので、作業者が感度調整スペーサ２６を検知レバー２１に誤って取付けた場合に検知レバー２１から感度調整スペーサ２６を取外すことができる。
【００３３】
検知レバー２１に摘みしろ２１ａを設けたので、作業者が検知レバー２１の摘みしろ２１ａを手指で摘んで感度調整スペーサ２６を検知レバー２１に対して着脱することができる。従って、作業者が感度調整スペーサ２６を検知レバー２１に対して着脱する場合に蓋スイッチ１５の可動接片１７に外力が作用し難くなるので、可動接片１７が外力で塑性変形することに応じて蓋スイッチ１５の動作位置が下限値Ｈｍｉｎおよび上限値Ｈｍａｘの範囲内から外れることが防止される。
【実施例２】
【００３４】
実施例１では感度調整スペーサを蓋スイッチ１５側に取付けた例を示したが、以下に脱水蓋４の操作レバー２５側に取付けた例を実施例２として示す。即ち、図１１の感度調整スペーサ４１は合成樹脂を材料するものであり、下側板４２と上側板４３と連結板４４を有している。下側板４２および上側板４３は隙間を介して上下方向に対向するものであり、連結板４４は下側板４２の右端部および上側板４３の右端部間を連結するものであり、下側板４２の左端部および上側板４３の左端部には抜止め４５が形成されている。この感度調整スペーサ４１は脱水蓋４の操作レバー２５の表面つまり上面に右側から挿入されることで取付けられるものであり、感度調整スペーサ４１の挿入作業は２つの抜止め４５のそれぞれが操作レバー２５で押されることに応じて下側板４２および上側板４３が弾性変形することで許容される。これら２つの抜止め４５は操作レバー２５の左端面に係合するものであり、感度調整スペーサ４１は２つの抜止め４５の操作レバー２５に対する係合力で操作レバー２５から抜止めされる。この感度調整スペーサ４１は右側へ引っ張られることで操作レバー２５から取外されるものであり、操作レバー２５に対して取付け可能および取外し可能にされている。
【００３５】
感度調整スペーサ４１は蓋スイッチ１５の動作位置を感度調整スペーサ２６に替わって補正するものであり、製造段階で蓋スイッチ１５の動作位置が目標値Ｈｏ未満であると確認された場合には操作レバー２５に感度調整スペーサ４１が取付けられる。この感度調整スペーサ４１は操作レバー２５に取付けられた状態で検知レバー２１の検知板２３に下側から接触するものであり、感度調整スペーサ４１が操作レバー２５に取付けられた状態では検知板２３の厚さ寸法が厚く調整されることで蓋スイッチ１５の動作位置が目標値Ｈｏ以上で上限値Ｈｍａｘ以下に補正される。この感度調整スペーサ４１はスペーサに相当する。
【００３６】
前記した実施例１においては、蓋スイッチ１５の検知レバー２１に感度調整スペーサ２６を予め取付けておき、蓋スイッチ１５の動作位置が設定値を上回ることが確認された場合に検知レバー２１から感度調整スペーサ２６を取外すことで蓋スイッチ１５の動作位置を適切な範囲内に収めても良い。この構成は上記実施例２についても同様である。
【００３７】
前記実施例１においては、蓋スイッチ１５の検知レバー２１に厚さ寸法が相互に異なる複数種のスペーサを予め取付けておき、複数種のスペーサのうち蓋スイッチ１５の動作位置の確認結果に応じた１種類以上を検知レバー２１から取外すことで蓋スイッチ１５の動作位置を適切な範囲内に収めても良い。この構成は実施例２についても同様である。
【００３８】
前記実施例１においては、感度調整スペーサ２６として感度調整板２７の厚さ寸法が相互に異なる複数種を予め用意しておき、複数種の感度調整スペーサ２６のうち蓋スイッチ１５の動作位置の確認結果に応じた１種類を検知レバー２１に取付けることで蓋スイッチ１５の動作位置を適切な範囲内に収めても良い。この構成は実施例２についても同様である。また実施例１と実施例２を併用するようにしても良い。この場合、調整範囲が一層拡大する。
【００３９】
前記実施例１〜２のそれぞれにおいては、脱水蓋４の閉鎖状態で蓋スイッチ１５をオフ状態とし、脱水蓋４が閉鎖状態から開放方向へ操作された場合に蓋スイッチ１５をオフ状態からオン状態に切換えても良い。
【００４０】
前記実施例１〜２のそれぞれにおいては、本発明を縦型の全自動洗濯機または脱水専用の脱水機に適用しても良い。
本発明のいくつかの実施例を説明したが、これらの実施例は例として提示したものであり、発明の範囲を限定することは意図していない。これら新規な実施例はその他の様々な例で実施されることが可能であり、発明の要旨を逸脱しない範囲で種々の省略、置き換え、変更を行うことができる。これら実施例やその変形は発明の範囲や要旨に含まれるとともに特許請求の範囲に記載された発明とその均等の範囲に含まれる。
【符号の説明】
【００４１】
４は脱水蓋、７は蓋バネ、１０は脱水バスケット、１０ａは脱水槽、１２ａはブレーキバネ、１５は蓋スイッチ、１６は固定接片、１７は可動接片、２１は検知レバー（スイッチ側レバー）、２１ａは摘みしろ、２５は操作レバー（蓋側レバー）、２６は感度調整スペーサ（スペーサ）、４１は感度調整スペーサ（スペーサ）である。
【図７】
2015002956.tif 000003
【図８】
2015002956.tif 000004
【図９】
2015002956.tif 000005
【図１】
2015002956.tif 000006
【図２】
2015002956.tif 000007
【図３】
2015002956.tif 000008
【図４】
2015002956.tif 000009
【図５】
2015002956.tif 000010
【図６】
2015002956.tif 000011
【図１０】
2015002956.tif 000012
【図１１】
2015002956.tif 000013